(57)【要約】【課題】複数のオブジェクトを画面上に配置する際に、適切に新規オブジェクトを追加でき、適切にオブジェクトのレイアウトを変更できるようにする。【解決手段】表示画面上にオブジェクトを表示する表示部と、前記オブジェクトを操作可能にする操作部と、前記表示部及び前記操作部を制御する制御部と、を備えるオブジェクト表示システムであって、前記制御部は、新たなオブジェクトを追加する際に、前記表示画面に表示されている複数のオブジェクトの表示面積に基づいて、前記複数のオブジェクトの表示状態が所定条件を満たすかを判定する面積判定部と、前記複数のオブジェクトの表示状態が前記所定条件を満たす場合に、前記複数のオブジェクトの中から選択される少なくとも一つの特定オブジェクトを、当該特定オブジェクトの表示位置から除去する処理部と、を備える。【選択図】図１０
2015138315.tif 000002
【特許請求の範囲】
【請求項１】
表示画面上にオブジェクトを表示する表示部と、
前記オブジェクトを操作可能にする操作部と、
前記表示部及び前記操作部を制御する制御部と、を備え、
前記制御部は、
新たなオブジェクトを追加する際に、前記表示画面に表示されている複数のオブジェクトの表示面積に基づいて、前記複数のオブジェクトの表示状態が所定条件を満たすかを判定する面積判定部と、
前記複数のオブジェクトの表示状態が前記所定条件を満たす場合に、前記複数のオブジェクトの中から選択される少なくとも一つの特定オブジェクトを、当該特定オブジェクトの表示位置から除去する処理部と、を備える、
ことを特徴とするオブジェクト表示システム。
【請求項２】
前記面積判定部は、前記表示画面の面積から前記複数のオブジェクトの表示面積を減算した配置可能面積を求め、前記配置可能面積が予め定めた閾値未満であるかを判定し、
前記処理部は、前記配置可能面積が前記閾値未満の場合に、前記特定オブジェクトを、当該特定オブジェクトの表示位置から除去する、
ことを特徴とする請求項１に記載のオブジェクト表示システム。
【請求項３】
前記処理部は、前記特定オブジェクトを前記表示画面から消去、若しくは、前記特定オブジェクトのサイズを縮小する、
ことを特徴とする請求項１又は２に記載のオブジェクト表示システム。
【請求項４】
前記処理部は、前記複数のオブジェクトの操作履歴に基づいて、最後の操作からの経過時間が最も長いオブジェクトを前記特定オブジェクトとして設定する、
ことを特徴とする請求項１乃至３のいずれか一に記載のオブジェクト表示システム。
【請求項５】
前記処理部は、前記複数のオブジェクトの内、所定期間内に前記操作部に操作されたオブジェクトを固定オブジェクトに設定し、前記固定オブジェクト及び前記新たなオブジェクト以外の非固定オブジェクトの配置を変更する、
ことを特徴とする請求項１乃至４のいずれか一に記載のオブジェクト表示システム。
【請求項６】
前記処理部は、オブジェクト同士が重ならないように、前記非固定オブジェクトを配置する、
ことを特徴とする請求項５に記載のオブジェクト表示システム。
【請求項７】
表示画面上にオブジェクトを表示する表示部と、前記オブジェクトを操作可能にする操作部と、を制御する制御部で動作するオブジェクト表示制御プログラムであって、
前記制御部に、
新たなオブジェクトを追加する際に、前記表示画面に表示されている複数のオブジェクトの表示面積に基づいて、前記複数のオブジェクトの表示状態が所定条件を満たすかを判定する第１処理、
前記複数のオブジェクトの表示状態が前記所定条件を満たす場合に、前記複数のオブジェクトの中から選択される少なくとも一つの特定オブジェクトを、当該特定オブジェクトの表示位置から除去する第２処理、を実行させる、
ことを特徴とするオブジェクト表示制御プログラム。
【請求項８】
前記第１処理では、前記表示画面の面積から前記複数のオブジェクトの表示面積を減算した配置可能面積を求め、前記配置可能面積が予め定めた閾値未満であるかを判定し、
前記第２処理では、前記配置可能面積が前記閾値未満の場合に、前記特定オブジェクトを、当該特定オブジェクトの表示位置から除去する、
ことを特徴とする請求項７に記載のオブジェクト表示制御プログラム。
【請求項９】
前記第２処理では、前記特定オブジェクトを前記表示画面から消去、若しくは、前記特定オブジェクトのサイズを縮小する、
ことを特徴とする請求項７又は８に記載のオブジェクト表示制御プログラム。
【請求項１０】
前記第２処理では、前記複数のオブジェクトの操作履歴に基づいて、最後の操作からの経過時間が最も長いオブジェクトを前記特定オブジェクトとして設定する、
ことを特徴とする請求項７乃至９のいずれか一に記載のオブジェクト表示制御プログラム。
【請求項１１】
前記第２処理では、前記複数のオブジェクトの内、所定期間内に前記操作部に操作されたオブジェクトを固定オブジェクトに設定し、前記固定オブジェクト及び前記新たなオブジェクト以外の非固定オブジェクトの配置を変更する、
ことを特徴とする請求項７乃至１０のいずれか一に記載のオブジェクト表示制御プログラム。
【請求項１２】
前記第２処理では、オブジェクト同士が重ならないように、前記非固定オブジェクトを配置する、
ことを特徴とする請求項１１に記載のオブジェクト表示制御プログラム。
【請求項１３】
表示画面上にオブジェクトを表示する表示部と、前記オブジェクトを操作可能にする操作部と、前記表示部及び前記操作部を制御する制御部と、を備えるシステムにおけるオブジェクト表示制御方法であって、
新たなオブジェクトを追加する際に、前記表示画面に表示されている複数のオブジェクトの表示面積に基づいて、前記複数のオブジェクトの表示状態が所定条件を満たすかを判定する第１処理と、
前記複数のオブジェクトの表示状態が前記所定条件を満たす場合に、前記複数のオブジェクトの中から選択される少なくとも一つの特定オブジェクトを、当該特定オブジェクトの表示位置から除去する第２処理と、を実行する、
ことを特徴とするオブジェクト表示制御方法。
【請求項１４】
前記第１処理では、前記表示画面の面積から前記複数のオブジェクトの表示面積を減算した配置可能面積を求め、前記配置可能面積が予め定めた閾値未満であるかを判定し、
前記第２処理では、前記配置可能面積が前記閾値未満の場合に、前記特定オブジェクトを、当該特定オブジェクトの表示位置から除去する、
ことを特徴とする請求項１３に記載のオブジェクト表示制御方法。
【請求項１５】
前記第２処理では、前記特定オブジェクトを前記表示画面から消去、若しくは、前記特定オブジェクトのサイズを縮小する、
ことを特徴とする請求項１３又は１４に記載のオブジェクト表示制御方法。
【請求項１６】
前記第２処理では、前記複数のオブジェクトの操作履歴に基づいて、最後の操作からの経過時間が最も長いオブジェクトを前記特定オブジェクトとして設定する、
ことを特徴とする請求項１３乃至１５のいずれか一に記載のオブジェクト表示制御方法。
【請求項１７】
前記第２処理では、前記複数のオブジェクトの内、所定期間内に前記操作部に操作されたオブジェクトを固定オブジェクトに設定し、前記固定オブジェクト及び前記新たなオブジェクト以外の非固定オブジェクトの配置を変更する、
ことを特徴とする請求項１３乃至１６のいずれか一に記載のオブジェクト表示制御方法。
【請求項１８】
前記第２処理では、オブジェクト同士が重ならないように、前記非固定オブジェクトを配置する、
ことを特徴とする請求項１７に記載のオブジェクト表示制御方法。
【発明の詳細な説明】
【技術分野】
【０００１】
本発明は、オブジェクト表示システム及びオブジェクト表示制御プログラム並びにオブジェクト表示制御方法に関し、特に、オブジェクトの表示及び操作が可能なオブジェクト表示システム及びオブジェクトの表示を制御するオブジェクト表示制御プログラム並びにオブジェクト表示制御方法に関する。
【背景技術】
【０００２】
近年、複数のユーザが利用可能な表示画面（共有画面と呼ぶ。）を用い、その共有画面に文字や図形、画像などの表示要素（以下、オブジェクトと呼ぶ。）を書き込んで議論する電子会議等が行われている。このような共有画面では、複数のユーザが様々なオブジェクトを書き込んだり、書き込んだオブジェクトを共有画面内で任意の場所に移動したりしながら議論が行われる。
【０００３】
上記共有画面を用いた従来のシステムでは、制限無く新規オブジェクトを追加することができるため、オブジェクトの表示面積が大きくなる（すなわち、余白領域が少なくなる）と、画面全体に対するオブジェクトの表示バランスが崩れ、個々のオブジェクトに着目しづらくなってしまい、効率的な議論ができなくなる。また、従来のシステムでは、新規オブジェクトを追加したい位置に他のオブジェクトが表示されている場合、オブジェクト同士が重畳するため、オブジェクトの視認性が悪化してしまい、やはり効率的な議論ができなくなる。このような背景から、複数のオブジェクトを効率的に表示する方法の提案が求められている。
【０００４】
オブジェクトの表示に関する技術ではないが、例えば、下記特許文献１には、コンピュータのスクリーン上にオーバーラップしないビューを再配置する方法であって、前記コンピュータが、ユーザから再配置リクエストを受けるステップと、前記コンピュータが、前記再配置リクエストに応答して、代替配置を決定するステップと、前記コンピュータが、スクリーン上に前記代替配置を表示するステップと、を有する方法が開示されており、ビューは原寸法を維持するのが望ましいことが記載されている。
【先行技術文献】
【特許文献】
【０００５】
【特許文献１】特表２００６−５１３４８５号公報
【発明の概要】
【発明が解決しようとする課題】
【０００６】
特許文献１の技術は、複数のビューのレイアウトを変更するものであり、この技術を多数のオブジェクトを画面上に配置するシステムに適用して、オブジェクトのレイアウトを変更したとしても、オブジェクトの表示面積は変わらないため、個々のオブジェクトに着目しづらい状況を改善することはできない。また、既に多数のオブジェクトが画面を占有している場合には、オブジェクトのレイアウトを変更したとしても、新規オブジェクトを他のオブジェクトと重畳しないように追加することができない場合もある。
【０００７】
また、オブジェクトのレイアウトを変更することによって、新規オブジェクトを追加するスペースを確保することができたとしても、スペースを確保するために、多くのオブジェクトの配置が変更されてしまい、重要な意味を持つオブジェクトの配置が変更されると、効率的な議論ができなくなってしまう。
【０００８】
この問題に対して、特許文献１には、ある配置パターンで、ユーザが特定のビューに対して固定の指示をすると、以後、そのビューはその位置に固定され、他のビューのみが配置変更されることが記載されている。しかしながら、特許文献１の技術では、ビューの固定を簡単に解除することができないため、固定ビューの数が多くなるとレイアウトの変更が制限されてしまい、その結果、その度にユーザはビューの再配置作業を行わなければならない。従って、特許文献１の技術を、多数のオブジェクトを画面上に配置するシステムに適用したとしても、適切にオブジェクトのレイアウトを変更することができない。
【０００９】
本発明は、上記問題点に鑑みてなされたものであって、その主たる目的は、複数のオブジェクトを画面上に配置する際に、適切に新規オブジェクトを追加することができるオブジェクト表示システム及びオブジェクト表示制御プログラム並びにオブジェクト表示制御方法を提供することにある。
【００１０】
また、本発明の他の目的は、複数のオブジェクトを画面上に配置する際に、適切にオブジェクトのレイアウトを変更することができるオブジェクト表示システム及びオブジェクト表示制御プログラム並びにオブジェクト表示制御方法を提供することにある。
【課題を解決するための手段】
【００１１】
本発明の一側面は、表示画面上にオブジェクトを表示する表示部と、前記オブジェクトを操作可能にする操作部と、前記表示部及び前記操作部を制御する制御部と、を備えるオブジェクト表示システムであって、前記制御部は、新たなオブジェクトを追加する際に、前記表示画面に表示されている複数のオブジェクトの表示面積に基づいて、前記複数のオブジェクトの表示状態が所定条件を満たすかを判定する面積判定部と、前記複数のオブジェクトの表示状態が前記所定条件を満たす場合に、前記複数のオブジェクトの中から選択される少なくとも一つの特定オブジェクトを、当該特定オブジェクトの表示位置から除去する処理部と、を備えることを特徴とする。
【００１２】
本発明の一側面は、表示画面上にオブジェクトを表示する表示部と、前記オブジェクトを操作可能にする操作部と、を制御する制御部で動作するオブジェクト表示制御プログラムであって、前記制御部に、新たなオブジェクトを追加する際に、前記表示画面に表示されている複数のオブジェクトの表示面積に基づいて、前記複数のオブジェクトの表示状態が所定条件を満たすかを判定する第１処理、前記複数のオブジェクトの表示状態が前記所定条件を満たす場合に、前記複数のオブジェクトの中から選択される少なくとも一つの特定オブジェクトを、当該特定オブジェクトの表示位置から除去する第２処理、を実行させることを特徴とする。
【００１３】
本発明の一側面は、表示画面上にオブジェクトを表示する表示部と、前記オブジェクトを操作可能にする操作部と、前記表示部及び前記操作部を制御する制御部と、を備えるシステムにおけるオブジェクト表示制御方法であって、新たなオブジェクトを追加する際に、前記表示画面に表示されている複数のオブジェクトの表示面積に基づいて、前記複数のオブジェクトの表示状態が所定条件を満たすかを判定する第１処理と、前記複数のオブジェクトの表示状態が前記所定条件を満たす場合に、前記複数のオブジェクトの中から選択される少なくとも一つの特定オブジェクトを、当該特定オブジェクトの表示位置から除去する第２処理と、を実行することを特徴とする。
【発明の効果】
【００１４】
本発明のオブジェクト表示システム及びオブジェクト表示制御プログラム並びにオブジェクト表示制御方法によれば、複数のオブジェクトを画面上に配置する際に、適切に新規オブジェクトを追加することができ、また、適切にオブジェクトのレイアウトを変更することができる。
【図面の簡単な説明】
【００１５】
【図１】本発明の第１の実施例に係るオブジェクト表示システムの外観構成を模式的に示す図である。
【図２】本発明の第１の実施例に係るオブジェクト表示システムの他の外観構成を模式的に示す図である。
【図３】本発明の第１の実施例に係る表示装置の構成を示すブロック図である。
【図４】本発明の第１の実施例に係るコンピュータ端末の構成を示すブロック図である。
【図５】本発明の第１の実施例に係るコンピュータ端末の処理を示すフローチャート図である。
【図６】本発明の第１の実施例に係る表示装置の処理を示すフローチャート図である。
【図７】本発明の第１の実施例に係る表示装置の他の処理を示すフローチャート図である。
【図８】本発明の第１の実施例に係るオブジェクトの表示例を示す模式図である。
【図９】本発明の第１の実施例に係る配置可能面積を説明する模式図である。
【図１０】本発明の第１の実施例に係るオブジェクトの表示制御の一例を示す模式図である。
【図１１】本発明の第１の実施例に係るオブジェクトの表示制御の他の例（新規オブジェクトの移動）を示す模式図である。
【図１２】本発明の第１の実施例に係るオブジェクトの表示制御の他の例（除去対象オブジェクトの保存）を示す模式図である。
【図１３】本発明の第２の実施例に係る表示装置の処理を示すフローチャート図である。
【図１４】本発明の第２の実施例に係るオブジェクトの表示制御の一例を示す模式図である。
【図１５】本発明の第３の実施例に係る表示装置の処理（固定オブジェクトの設定処理）を示すフローチャート図である。
【図１６】本発明の第３の実施例に係る表示装置の処理（自動配置処理）を示すフローチャート図である。
【図１７】本発明の第３の実施例に係るオブジェクトの移動、拡大、縮小を示す模式図である。
【図１８】本発明の第３の実施例に係るオブジェクトの表示制御の一例（配置可能面積が大きい場合）を示す模式図である。
【図１９】本発明の第３の実施例に係るオブジェクトの表示制御の一例（配置可能面積が小さい場合の自動配置）を示す模式図である。
【発明を実施するための形態】
【００１６】
背景技術で示したように、共有画面を用いたシステムでは、オブジェクトを書き込んだり、オブジェクトを移動させたりするなど、オブジェクトに対する様々な操作が行われる。ここで、新規オブジェクトを追加する場合、制限無くオブジェクトの追加を可能にすると、オブジェクトの表示面積が大きくなって、余白領域が少なくなるため、画面全体に対するオブジェクトの表示バランスが崩れ、個々のオブジェクトに着目しづらくなってしまうという問題があった。また、新規オブジェクトを追加したい位置に他のオブジェクトが表示されている場合は、オブジェクト同士が重畳するため、オブジェクトの視認性が悪化してしまうという問題があった。
【００１７】
これらの問題に対して、特許文献１の技術を利用して、複数のオブジェクトのレイアウトを変更することはできるが、オブジェクトのレイアウトを変更してもオブジェクトの表示面積は変わらないため、個々のオブジェクトに着目しづらい状況を改善することはできず、既に多数のオブジェクトが画面を占有している場合には、新規オブジェクトを他のオブジェクトと重畳しないように追加することができない場合もある。
【００１８】
また、オブジェクトのレイアウトを変更することによって、新規オブジェクトを追加するスペースを確保することができたとしても、重要な意味を持つオブジェクトの配置が変更されると、効率的な議論ができなくなってしまう。また、特許文献１の技術を利用して、特定のオブジェクトを固定する場合、固定の設定や解除が容易にできないと、固定されたオブジェクトが多数になった場合にレイアウトが制限され、所望のレイアウトで複数のオブジェクトを配置することができない。
【００１９】
すなわち、特許文献１のビューは全て表示することが前提であり、個々のビューの細部を確認しやすくするために、複数のビューを画面全体に表示することが求められる。一方、共有画面に表示するオブジェクトは各々重要度が異なり、議論の進行によってその重要度が変化するため、重要度が低いオブジェクトは必ずしも表示する必要がなく、複数のオブジェクトの全体を見渡せるように、画面全体に対するオブジェクトの表示バランスを保つことが求められる。
【００２０】
そこで、本発明の一実施の形態では、新規オブジェクトを追加する際に、表示画面の余白領域の面積を求め、余白領域の面積が予め定めた閾値未満の場合は、最終操作時刻が古いオブジェクトなどの重要度が低いと考えられるオブジェクトを消去したり、縮小したりする。また、所定時間内に操作が行われたオブジェクトなどの重要度が高いと考えられるオブジェクトを固定し、新規オブジェクトを配置する際に、固定されたオブジェクト以外のオブジェクトを移動させたり、縮小したりする。
【００２１】
これにより、オブジェクトの過多による画面の占有を防止し、表示バランスを維持しつつ、適切に新規オブジェクトを追加することができる。また、新規オブジェクトの追加に際して、重要度が高いオブジェクトが移動することがないように、適切にレイアウトを変更することができる。これにより、多人数で作業をしている際に、他のユーザの使用状況をいちいち確認するなどの手間を省くことができる。
【実施例１】
【００２２】
上記した本発明の実施の形態についてさらに詳細に説明すべく、本発明の第１実施例に係るオブジェクト表示システム及びオブジェクト表示制御プログラム並びにオブジェクト表示制御方法について、図１乃至図１２を参照して説明する。図１及び図２は、本実施例のオブジェクト表示システムの構成を模式的に示す図であり、図３は、表示装置の構成を示すブロック図、図４は、コンピュータ端末の構成を示すブロック図である。また、図５は、本実施例のコンピュータ端末の処理を示すフローチャート図であり、図６及び図７は、本実施例の表示装置の処理を示すフローチャート図である。また、図８は、オブジェクトの表示例を示す模式図、図９は、配置可能面積を説明する模式図であり、図１０乃至図１２は、本実施例のオブジェクトの表示制御を示す模式図である。
【００２３】
本発明は、操作者が１人の場合及び複数の場合の双方に適用可能であるが、本実施例では、複数の操作者が操作可能な共有作業領域を有するシステムについて説明する。このシステムは、表示装置２０とコンピュータ端末とを含み、表示装置２０としては、図１に示すように、表示部２７と操作部２８と制御部２１とが一体となった構成、又は、図２に示すように、表示部２７と操作部２８とを有するタッチパネルと制御部２１とが分離した構成とすることができる。以下、図１の構成を前提にして説明する。
【００２４】
本実施例のオブジェクト表示システム１０は、テキストやグラフィックス、イメージなど（以下、オブジェクトと呼ぶ。）の操作及び表示を可能にする表示装置２０と、オブジェクトの生成や転送を行うコンピュータ端末３０と、で構成され、これらは有線又は無線で接続される。なお、図１及び図２では、オブジェクト表示システム１０にコンピュータ端末３０を含む構成としているが、表示装置２０に表示するオブジェクトのデータを表示装置２０内部に記憶したり、ＳＤ（Secure Digital）カードなどの記録媒体を介して取得したりする場合は、コンピュータ端末３０を省略することができる。以下、各装置について説明する。
【００２５】
［表示装置］
表示装置２０は、演算機能を備えた表示パネル、電子黒板、タブレット端末やスマートフォンなどの携帯端末、ノート型のコンピュータ装置などであり、図３（ａ）に示すように、制御部２１と記憶部２５とインターフェース部２６と表示部２７と操作部２８などで構成される。
【００２６】
制御部２１は、ＣＰＵ（Central Processing Unit）２２と、ＲＯＭ（Read Only Memory）２３やＲＡＭ（Random Access Memory）２４などのメモリと、で構成され、ＣＰＵ２２は、ＲＯＭ２３や記憶部２５から制御プログラムを呼び出し、ＲＡＭ２４に展開して実行することにより、表示装置２０全体の動作を制御する。また、制御部２１は、図３（ｂ）に示すように、面積判定部２１ａ及び処理部２１ｂとしても機能する。
【００２７】
面積判定部２１ａは、記憶部２５に記憶したオブジェクト情報を参照して、表示部２７に表示中の全オブジェクトの面積（占有面積と呼ぶ。）を算出し、表示部２７の表示画面の面積から占有面積を減算した面積（配置可能面積と呼ぶ。）を算出する。そして、算出した配置可能面積が予め定めた閾値以上であるか（余白領域が十分にあるか）を判定する。なお、オブジェクトの面積の算出に関して、オブジェクトがイメージの場合は、イメージのサイズに基づいて面積を算出し、オブジェクトがテキスト又はグラフィックスの場合は、そのオブジェクトを囲む枠のサイズに基づいて面積を算出することができる。また、本実施例では、配置可能面積と閾値とを比較する構成とするが、占有面積と閾値とを比較してもよいし、表示画面の面積に対する占有面積の比率と予め定めた閾値（例えば８０％）とを比較してもよい。また、本実施例では、占有面積の算出において、表示中のオブジェクトのみを対象とするが、表示中のオブジェクトに表示予定のオブジェクト（新規オブジェクトと呼ぶ。）を加えてもよく、新規オブジェクトを加味することにより、新規オブジェクトの追加後においても、閾値以上の配置可能面積を確保することができる。
【００２８】
処理部２１ｂは、面積判定部２１ａが判定した結果に応じて、表示部２７にオブジェクトを表示させる。例えば、配置可能面積が閾値以上の場合は、新規オブジェクトを追加しても表示バランスを維持することができるため、操作部２８で位置が指示された時はその位置（表示中のオブジェクトと重なる場合は、重ならないようにずらした位置）、位置が指示されない時は余白領域の任意の位置に新規オブジェクトを配置する。また、配置可能面積が閾値未満の場合は、新規オブジェクトを追加すると表示バランスが崩れるため、表示中のオブジェクトの中から１又は複数のオブジェクトを除去する。具体的には、記憶部２５に記憶したオブジェクト情報（操作部２８によるオブジェクトの操作履歴情報）を参照して、最後の操作時刻が最も古い（言い換えると、最後の操作からの経過時間が最も長い）オブジェクトから順に消去して、配置可能面積が閾値以上となるようにする。そして、操作部２８で位置が指示された時はその位置（表示中のオブジェクトと重なる場合は、重ならないようにずらした位置）、位置が指示されない時は余白領域の任意の位置に新規オブジェクトを配置する。なお、新規オブジェクトを配置する際、新規オブジェクトはサイズを変更することなく、元のままのサイズで配置する。
【００２９】
上記面積判定部２１ａ及び処理部２１ｂは、ハードウェアとして構成してもよいし、制御部２１を、面積判定部２１ａ及び処理部２１ｂとして機能させるソフトウェア（表示制御プログラム）として構成し、この表示制御プログラムをＣＰＵ２２に実行させるようにしてもよい。
【００３０】
記憶部２５は、フラッシュメモリやＨＤＤ（Hard Disk Drive）、ＳＳＤ（Solid State Drive）などで構成され、表示部２７の表示画面のサイズ情報、オブジェクト情報（操作履歴情報やサイズ情報、レイアウト情報、後述する固定オブジェクトであるか非固定オブジェクトであるかを示すオブジェクト属性など）、上記閾値などを記憶する。
【００３１】
インターフェース部２６は、オブジェクトのデータを取得可能にするためのインターフェースである。例えば、オブジェクトのデータを有線又は無線でコンピュータ端末３０から取得する場合は、ＮＩＣ（Network Interface Card）やモデムなどとなり、コンピュータ端末３０との接続を確立する。また、オブジェクトのデータを記録媒体から取得する場合は、ＳＤカードスロットなどとなり、記録媒体とのデータ通信を可能にする。
【００３２】
表示部２７は、ＬＣＤ（Liquid Crystal Display）や有機ＥＬ（Electro Luminescence）ディスプレイなどで構成され、制御部２１の制御によって表示画面にオブジェクトを表示する。操作部２８は、表示部２７上に配置された格子状の電極からなるタッチセンサ、ハードキーなどで構成され、オブジェクトに対する各種操作（例えば、オブジェクトの選択、移動、追加などの操作）を受け付ける。そして、表示部２７と操作部２８とでタッチパネルが構成される。
【００３３】
なお、図３は、本実施例の表示装置２０の一例であり、その構成は適宜変更可能である。例えば、本実施例では、タッチパネル上でオブジェクトを操作する構成とするが、マウスやキーボードなどを用いて、オブジェクトに対する各種操作を実現してもよい。
【００３４】
［コンピュータ端末］
コンピュータ端末３０は、パーソナルコンピュータ、タブレット端末やスマートフォンなどの携帯端末などであり、図４に示すように、制御部３１と記憶部３５とインターフェース部３６と表示部３７と操作部３８などで構成される。
【００３５】
制御部３１は、ＣＰＵ３２と、ＲＯＭ３３やＲＡＭ３４などのメモリと、で構成され、ＣＰＵ３２は、ＲＯＭ３３や記憶部３５から制御プログラムを呼び出し、ＲＡＭ３４に展開して実行することにより、コンピュータ端末３０全体の動作を制御する。また、制御部３１は、各種アプリケーショを動作させてオブジェクトの作成／編集／取得を行うオブジェクト生成部としても機能する。
【００３６】
記憶部３５は、メモリやＨＤＤ、ＳＳＤなどで構成され、オブジェクト生成部により生成されたオブジェクトのデータなどを記憶する。
【００３７】
インターフェース部３６は、オブジェクトのデータを表示装置２０に提供可能にするためのインターフェースである。例えば、オブジェクトのデータを有線又は無線で表示装置２０に転送する場合は、ＮＩＣやモデムなどとなり、表示装置２０との接続を確立する。また、オブジェクトのデータを記録媒体を用いて提供する場合は、ＳＤカードスロットなどとなり、記録媒体とのデータ通信を可能にする。
【００３８】
表示部３７は、ＬＣＤや有機ＥＬディスプレイなどで構成され、オブジェクトを生成するための画面、表示装置２０に表示させるオブジェクトを選択するための画面などを表示する。また、操作部３８は、マウス、キーボード、表示部３７上に配置された格子状の電極からなるタッチセンサ、ハードキーなどで構成され、オブジェクトに対する各種操作（例えば、オブジェクトの生成、選択、転送などの操作）を受け付ける。
【００３９】
以下、上記構成のオブジェクト表示システム１０を用いたオブジェクトの表示制御方法について説明する。まず、コンピュータ端末３０の動作について、図５のフローチャート図を参照して説明する。
【００４０】
ユーザはアプリケーションを用いて、オブジェクトを作成／編集／取得し、オブジェクトのデータを記憶部３５に記憶する。そして、制御部３１は、記憶部３５からオブジェクトのデータを読み出し、表示部３７に表示させる（Ｓ１０１）。オブジェクトの選択画面で、表示装置２０に表示させるオブジェクト（新規オブジェクトと呼ぶ。）が選択されたら（Ｓ１０２）、制御部３１は、インターフェース部３６を用いて、新規オブジェクトのデータを表示装置２０に提供（送信又は記録媒体に記録）する（Ｓ１０３）。
【００４１】
次に、表示装置２０の動作について説明する。ＣＰＵ２２は、ＲＯＭ２３又は記憶部２５に記憶した表示制御プログラムをＲＡＭ２４に展開して実行することにより、図６のフローチャート図に示す各処理を実行する。なお、以下の説明において、予め複数のオブジェクトが表示部２７の表示画面に表示されているものとする。
【００４２】
まず、制御部２１は、インターフェース部２６を用いて、コンピュータ端末３０若しくは記録媒体から新規オブジェクトのデータを取得する（Ｓ２０１）。そして、制御部２１（面積判定部２１ａ）は、記憶部２５に記憶したオブジェクト情報（サイズ情報）を参照して、表示部２７に表示中の全オブジェクトの占有面積を算出し、表示部２７の表示画面の面積からオブジェクトの占有面積を減算した配置可能面積を算出し（Ｓ２０２）、算出した配置可能面積が予め定めた閾値以上であるか否かを判定する（Ｓ２０３）。
【００４３】
配置可能面積が閾値以上の場合は、Ｓ２０１で取得した新規オブジェクトを表示部２７に表示可能であるため、制御部２１（処理部２１ｂ）は、オブジェクトが表示されていない領域（余白領域）に新規オブジェクトを配置して、表示部２７に表示させる（Ｓ２０６）。なお、新規オブジェクトは、サイズを変更（拡大／縮小）せずに配置するものとする。また、新規オブジェクトを配置する場所は任意であり、例えば、操作部２８（タッチパネルやマウス）で位置が指定された時はその位置（表示中のオブジェクトと重なる場合は、重ならないようにずらした位置）としてもよいし、位置が指定されない時は表示中のオブジェクトと重ならない任意の位置（例えば、最も広い余白領域の中央部分など）としてもよいし、同じオブジェクト属性（テキスト／グラフィックス／イメージ）の近傍としてもよい。
【００４４】
一方、配置可能面積が閾値未満の場合は、新規オブジェクトを表示部２７に表示すると表示バランスが崩れるため、制御部２１（処理部２１ｂ）は、オブジェクト情報（操作履歴情報）を参照して、表示部２７に表示中のオブジェクトの内、最終操作時刻が最も古いオブジェクトを特定し（Ｓ２０４）、そのオブジェクト（除去対象オブジェクトと呼ぶ。）を表示部２７から除去する（Ｓ２０５）。なお、除去対象オブジェクトの除去に際して、本実施例では除去対象オブジェクトを表示部２７の画面上から消去するものとするが、画面上からの消去と共に、記憶部２５からそのオブジェクトのデータを消去してもよいし、オブジェクトのデータは記憶部２５に残す（そのオブジェクトのデータが記憶部２５にない場合は、オブジェクトのデータを記憶する）ようにしてもよい。その後、制御部２１（処理部２１ｂ）は、オブジェクトが表示されていない領域（余白領域）に新規オブジェクトを配置して、表示部２７に表示させる（Ｓ２０６）。
【００４５】
なお、上記フローでは、配置可能面積が閾値未満の場合に、最終操作時刻が最も古い１つのオブジェクトのみを除去したが、１つのオブジェクトを除去するだけでは配置可能面積を閾値以上にできない場合は、最終操作時刻が次に古いオブジェクトを順に特定して除去するようにしてもよい。
【００４６】
図５及び図６は、コンピュータ端末３０で選択した新規オブジェクトを表示装置２０で表示する場合のフローであるが、表示装置２０で新規オブジェクトを選択することもできる。その場合は、図７のフローチャート図に示すように、制御部２１は、記憶部２５からオブジェクトのデータを読み出して表示部３７に表示させ（Ｓ３０１）、オブジェクトの選択画面で新規オブジェクトをユーザに選択させる（Ｓ３０２）。その後、図６のフローチャート図のＳ２０２〜Ｓ２０６と同様に、配置可能面積が閾値未満であれば、最終操作時刻が最も古いオブジェクトを表示部２７から除去し、配置可能面積が閾値以上となったら、オブジェクトが表示されていない余白領域に新規オブジェクトを表示させる（Ｓ３０３〜Ｓ３０７）。
【００４７】
上記の表示制御について、具体例を挙げて説明する。図８は、表示部２７に複数のオブジェクト４０を表示した状態を示している。なお、ここではオブジェクト４０を矩形で表しているが、オブジェクトのサイズや形状は任意である。また、本実施例ではオブジェクト４０同士が重ならないように配置しているが、新規オブジェクト以外のオブジェクト４０は重なっていてもよい。その場合、オブジェクト４０の占有面積は、各オブジェクトの面積の合計からオブジェクト同士が重畳した部分の面積を減じて算出すればよい。
【００４８】
図９は、配置可能面積を説明する図であり、（ａ）は実際の表示画面を示し、（ｂ）、（ｃ）は、全オブジェクトをまとめた場合の占有面積を示している。図９（ｂ）に示すように、表示部２７の表示画面の面積からオブジェクトの占有面積を減算した配置可能面積が所定値（ここでは、表示画面の面積に対する配置可能面積の比率が２０％）以上の場合は、新規オブジェクトを配置するための余白領域が十分であると判断する。一方、図９（ｃ）に示すように、表示画面の面積からオブジェクトの占有面積を減算した配置可能面積が所定値未満の場合は、余白領域が不足していると判断する。
【００４９】
図１０は、新規オブジェクトを追加する場合の画面状態の変化を示している。図１０（ａ）のように、表示画面に１０個のオブジェクト４０が配置されているとする。なお、各々のオブジェクトに付した番号はオブジェクトの操作順を示しており、番号が大きいほど最終操作時刻が古いオブジェクトであることを表している。また、表示画面の面積から１０個のオブジェクト４０の占有面積を減算した配置可能面積は所定値未満であるとする。
【００５０】
このようなオブジェクト４０の配置状態において、図１０（ｂ）に示すように、新規オブジェクト（斜線のハッチングで示すオブジェクト）４１を追加する場合、新規オブジェクト４１の最終操作時刻が最も新しくなるため、番号が「１」となり、他のオブジェクト４０の番号に１が加算され、番号が「２」〜「１１」に更新される。
【００５１】
ここで、配置可能面積は所定値未満であり、余白領域が不足しているため、新規オブジェクト４１を追加することができない。そこで、図１０（ｃ）に示すように、表示中のオブジェクト４０の中で最終操作時刻が最も古いオブジェクト（番号が「１１」のオブジェクト）を除去対象オブジェクト４２として特定し、その除去対象オブジェクト４２を表示画面から消去して余白領域を増やした後、新規オブジェクト４１を表示する。
【００５２】
その際、図１１（ａ）に示すように、新規オブジェクト４１が表示中の他のオブジェクト４０に重なる場合は、図１１（ｂ）に示すように、新規オブジェクト４１のサイズを変える（縮小する）ことなく、その表示位置を移動させて、表示中の他のオブジェクト４０と重ならないようにする。また、図１２に示すように、消去対象オブジェクト４２を表示画面から消去する際に、消去対象オブジェクト４２のデータを記憶部２５の所定のフォルダに保存し、配置可能面積が所定値以上となった時に表示画面に再表示できるようにすることもできる。
【００５３】
このように、本実施例では、新規オブジェクトを追加する際に、表示画面の面積からオブジェクトの占有面積を減算した配置可能面積が所定値未満であれば、最終操作時刻が最も古いオブジェクト（除去対象オブジェクト）が表示画面から消去されるため、オブジェクトの過多による画面の占有を防止し、表示バランスを維持しつつ、適切に新規オブジェクトを追加することができる。
【実施例２】
【００５４】
次に、本発明の第２実施例に係るオブジェクト表示システム及びオブジェクト表示制御プログラム並びにオブジェクト表示制御方法について、図１３及び図１４を参照して説明する。図１３は、本実施例の表示装置の処理を示すフローチャート図であり、図１４は、オブジェクトの表示制御を示す模式図である。
【００５５】
前記した第１の実施例では、配置可能面積が所定値未満の場合に、最終操作時刻が最も古いオブジェクトが表示画面から消去することによって配置可能面積が所定値以上となるようにしたが、本実施例では、当該オブジェクトを表示画面から消去せずに縮小することによって、配置可能面積が所定値以上となるようにする。その場合、表示装置２０の構成は第１の実施例と同様であるが、制御部２１（処理部２１ｂ）は、除去対象オブジェクトを縮小し、必要に応じて表示画面上で移動させる処理を行う。
【００５６】
以下、表示装置２０の動作について説明する。ＣＰＵ２２は、ＲＯＭ２３又は記憶部２５に記憶した表示制御プログラムをＲＡＭ２４に展開して実行することにより、図１３のフローチャート図に示す各処理を実行する。なお、以下の説明において、予め複数のオブジェクトが表示部２７の表示画面に表示されているものとする。
【００５７】
まず、制御部２１は、インターフェース部２６を用いて、コンピュータ端末３０若しくは記録媒体から新規オブジェクトのデータを取得する（Ｓ４０１）。なお、新規オブジェクトのデータが表示装置２０の記憶部２５に保存されている場合は、記憶部２５からオブジェクトのデータを読み出し、オブジェクトの選択画面で新規オブジェクトをユーザに選択させてもよい。
【００５８】
そして、制御部２１（面積判定部２１ａ）は、記憶部２５に記憶したオブジェクト情報（サイズ情報）を参照して、表示部２７に表示中の全オブジェクトの占有面積を算出し、表示部２７の表示画面の面積からオブジェクトの占有面積を減算した配置可能面積を算出し（Ｓ４０２）、算出した配置可能面積が予め定めた閾値以上であるか否かを判定する（Ｓ４０３）。
【００５９】
配置可能面積が閾値以上の場合は、Ｓ４０６にスキップし、配置可能面積が閾値未満の場合は、制御部２１（処理部２１ｂ）は、オブジェクト情報（操作履歴情報）を参照して、表示部２７に表示中のオブジェクトの内、最終操作時刻が最も古いオブジェクトを除去対象オブジェクトとして特定し（Ｓ４０４）、オブジェクト情報（サイズ情報）を参照して、配置可能面積が閾値以上となるように、除去対象オブジェクトを縮小する（Ｓ４０５）。なお、最終操作時刻が最も古いオブジェクトを縮小するだけでは配置可能面積が閾値以上とならない場合は、最終操作時刻が次に古いオブジェクトを順に特定して縮小するようにしてもよい。
【００６０】
ここで、本実施例では除去対象オブジェクトを消去せずに縮小するため、縮小後の除去対象オブジェクトが新規オブジェクトと重なってしまう場合がある。そこで、制御部２１（処理部２１ｂ）は、新規オブジェクトが除去対象オブジェクトに被っているかを判断し（Ｓ４０６）、新規オブジェクトが除去対象オブジェクトに被っている場合は、除去対象オブジェクトを移動させて（Ｓ４０７）、オブジェクト同士の重なりを解消する。その後、制御部２１（処理部２１ｂ）は、オブジェクトが表示されていない領域（余白領域）に新規オブジェクトを配置して、表示部２７に表示させる（Ｓ４０８）。
【００６１】
なお、本実施例においても、新規オブジェクトは、サイズを変更（拡大／縮小）せずに配置するものとする。また、新規オブジェクトを配置する場所は任意であり、例えば、操作部２８（タッチパネルやマウス）で位置が指定された時はその位置（表示中のオブジェクトと重なる場合は、重ならないようにずらした位置）としてもよいし、位置が指定されない時は表示中のオブジェクトと重ならない任意の位置（例えば、最も広い余白領域の中央部分など）としてもよいし、同じオブジェクト属性（テキスト／グラフィックス／イメージ）の近傍としてもよい。
【００６２】
上記の表示制御について、具体例を挙げて説明する。図１４（ａ）に示すように、表示画面上に番号「１」〜「４」のオブジェクト４０が表示されており、配置可能面積が閾値未満になっている状態において、新規オブジェクト４１を追加するものとする。この場合、図１４（ｂ）に示すように、新規オブジェクト４１の最終操作時刻が最も新しくなるため、番号が「１」となり、他のオブジェクト４０の番号に１が加算され、番号が「２」〜「５」に更新される。そして、最終操作時刻が最も古いオブジェクト（番号が「５」のオブジェクト）を除去対象オブジェクト４２として特定し、配置可能面積が閾値以上となるように、その除去対象オブジェクト４２を縮小する。
【００６３】
この状態において、新規オブジェクト４１を他のオブジェクト（番号が「２」〜「４」のオブジェクト）と重ならないように配置するが、新規オブジェクト４１が除去対象オブジェクト４２と重なってしまう場合は、図１４（ｃ）に示すように、除去対象オブジェクト４２を移動させてオブジェクト同士の重なりを防止する。
【００６４】
このように、本実施例では、新規オブジェクトを追加する際に、配置可能面積が閾値未満であれば、最終操作時刻が最も古いオブジェクト（除去対象オブジェクト）が縮小されるため、表示バランスを維持しつつ、適切に新規オブジェクトを追加することができる。また、新規オブジェクトが縮小した除去対象オブジェクトに重なる場合には、除去対象オブジェクトが移動するため、オブジェクト同士が重なることによる視認性の悪化を防止することができる。
【実施例３】
【００６５】
次に、本発明の第３実施例に係るオブジェクト表示システム及びオブジェクト表示制御プログラム並びにオブジェクト表示制御方法について、図１５乃至図１９を参照して説明する。図１５及び図１６は、本実施例の表示装置の処理を示すフローチャート図であり、図１７乃至図１９は、オブジェクトの表示制御を示す模式図である。
【００６６】
前記した第１の実施例では除去対象オブジェクトを表示画面から消去し、第２の実施例では除去対象オブジェクトを縮小／移動させたが、除去対象オブジェクトを消去／縮小／移動しても、新規オブジェクトが除去対象オブジェクト以外の他のオブジェクトと重なってしまう場合がある。そこで、本実施例では、新規オブジェクトが他のオブジェクトと重なる場合に、他のオブジェクトの配置を変更することによって、オブジェクト同士の重なりを解消する。
【００６７】
以下、表示装置２０の動作について説明する。ＣＰＵ２２は、ＲＯＭ２３又は記憶部２５に記憶した表示制御プログラムをＲＡＭ２４に展開して実行することにより、図１５及び図１６のフローチャート図に示す各処理を実行する。なお、以下の説明において、固定オブジェクトとは、除去対象オブジェクトとして特定された場合やユーザに操作された場合には移動するが、図１６の自動配置処理によっては移動しないオブジェクトである。また、非固定オブジェクトとは、固定オブジェクト以外のオブジェクトであり、除去対象オブジェクトとして特定された場合もユーザに操作された場合も自動配置処理によっても移動するオブジェクトである。
【００６８】
図１５に示すように、固定オブジェクトの設定に当たって、制御部２１（処理部２１ｂ）は、表示部２７に表示されているオブジェクトに対する操作を監視する。そして、所定期間内に、ユーザによりオブジェクトの移動（図１７（ａ）、（ｂ）参照）や拡大、縮小（図１７（ａ）、（ｃ）参照）などの操作が行われた場合（Ｓ５０１）、そのオブジェクトはユーザが着目している重要なオブジェクトであると判断して、操作されたオブジェクトを固定オブジェクトに変更して、オブジェクト情報（オブジェクト属性）を固定オブジェクトに設定する。
【００６９】
その後、第１の実施例の図６又は図７、第２の実施例の図１３に従って除去対象オブジェクトの除去処理（消去又は縮小／移動）を行い、Ｓ２０６、Ｓ３０７、Ｓ４０８で新規オブジェクトを配置する際にオブジェクトの自動配置処理を行う。
【００７０】
具体的には、図１６に示すように、制御部２１（処理部２１ｂ）は、オブジェクト情報（オブジェクト属性）を参照して、表示部２７に表示中のオブジェクト（新規オブジェクト以外のオブジェクト）の中から非固定オブジェクトに設定されているオブジェクトを特定し、そのオブジェクトを自動配置の対象として選択する（Ｓ６０１）。なお、新規オブジェクトは、ユーザが着目している重要なオブジェクトであるため、オブジェクト情報（オブジェクト属性）を固定オブジェクトに設定する。
【００７１】
そして、固定オブジェクト（新規オブジェクトを含む）が表示されている領域以外の余白領域に収まるように、各々の非固定オブジェクトのサイズや位置を決定し、決定したサイズや位置に基づいて、非固定オブジェクトの配置を変更する（Ｓ６０２）。
【００７２】
ここで、操作されたオブジェクトを固定オブジェクトのままとすると、操作の度に固定オブジェクトの数が増え、自動配置処理において、オブジェクトのレイアウトを適切に変更することができなくなる。そこで、制御部２１（処理部２１ｂ）は、自動配置処理を行って新規オブジェクトを配置したら、全ての固定オブジェクトを非固定オブジェクトに変更したり、自動配置処理後、所定時間内にそのオブジェクトに対するユーザ操作が行われなかった場合は、その固定オブジェクトを非固定オブジェクトに変更したりすることが好ましい。
【００７３】
上記の表示制御について、具体例を挙げて説明する。図１８（ａ）に示すように、表示画面上に固定オブジェクト４３（番号が「１」のオブジェクト）と非固定オブジェクト４４（番号が「２」と「３」のオブジェクト）とが配置されているものとする。この状態において、これらのオブジェクトに重なるように新規オブジェクト４１が追加された場合、配置可能面積が十分に大きければ、図１８（ｂ）に示すように、固定オブジェクト４３及び非固定オブジェクト４４に重ならない余白領域に新規オブジェクト４１を移動させる。
【００７４】
一方、図１９（ａ）に示すように、表示画面上に固定オブジェクト４３（番号が「１」のオブジェクト）と非固定オブジェクト４４（番号が「２」〜「４」のオブジェクト）とが配置されているものとする。この状態において、これらのオブジェクトに重なるように新規オブジェクト４１が追加された場合、配置可能面積は小さく、このオブジェクト配置のままでは、他のオブジェクトに重ならないように新規オブジェクト４１を追加することができず、また、重要なオブジェクトのサイズや配置を変更してしまうと、効率的な議論ができなくなってしまう。
【００７５】
そこで、このような場合は、複数の非固定オブジェクト４４のサイズ及び配置を変更して余白領域を作り、その余白領域に新規オブジェクト４１を移動させる。例えば、図１９（ｂ）に示すように、２つの非固定オブジェクト４４（例えば、番号が「３」と「４」のオブジェクト）のサイズ及び配置を変更して表示画面の所定位置（ここでは右下）に余白領域を作り、その余白領域に新規オブジェクト４１を移動させる。また、図１９（ｃ）に示すように、全ての非固定オブジェクト４４のサイズ及び配置を変更して表示画面の所定位置（ここでは右上）に余白領域を作り、その余白領域に新規オブジェクト４１を移動させる。
【００７６】
このように、本実施例では、除去対象オブジェクトを消去／縮小／移動しても、新規オブジェクトが除去対象オブジェクト以外の他のオブジェクトと重なってしまう場合は、ユーザが注目している重要な固定オブジェクト以外の非固定オブジェクトのサイズや位置が自動的に変更されるため、適切にレイアウトを変更することができる。また、オブジェクトを操作するだけで固定オブジェクトに設定され、所定時間に操作が行われなければ非固定オブジェクトに設定されるため、ユーザの操作性を向上させ、議論の進行によって重要度が変化する複数のオブジェクトを適切に表示することができる。
【００７７】
なお、本発明は上記実施例に限定されるものではなく、本発明の趣旨を逸脱しない限りにおいて、その構成や制御は適宜変更可能である。
【００７８】
例えば、上記実施例では、一人のユーザが操作を行っているものとしたが、複数のユーザが同時に操作を行った場合に、各々のユーザの操作に対して本発明の制御を適用することができる。
【産業上の利用可能性】
【００７９】
本発明は、テキストやグラフィックス、イメージなどのオブジェクトの操作が可能なシステム、特に、複数の操作者による共同操作が可能なシステム、及び当該システムで動作する表示制御プログラム、当該表示制御プログラムを記録した記録媒体、並びに当該システムにおけるオブジェクトの表示制御方法に利用可能である。
【符号の説明】
【００８０】
１０  オブジェクト表示システム
２０  表示装置
２１  制御部
２１ａ  面積判定部
２１ｂ  処理部
２２  ＣＰＵ
２３  ＲＯＭ
２４  ＲＡＭ
２５  記憶部
２６  インターフェース部
２７  表示部
２８  操作部
３０  コンピュータ端末
３１  制御部
３２  ＣＰＵ
３３  ＲＯＭ
３４  ＲＡＭ
３５  記憶部
３６  インターフェース部
３７  表示部
３８  操作部
４０  オブジェクト
４１  新規オブジェクト
４２  除去対象オブジェクト
４３  固定オブジェクト
４４  非固定オブジェクト
【図１】
2015138315.tif 000003
【図２】
2015138315.tif 000004
【図３】
2015138315.tif 000005
【図４】
2015138315.tif 000006
【図５】
2015138315.tif 000007
【図６】
2015138315.tif 000008
【図７】
2015138315.tif 000009
【図８】
2015138315.tif 000010
【図９】
2015138315.tif 000011
【図１０】
2015138315.tif 000012
【図１１】
2015138315.tif 000013
【図１２】
2015138315.tif 000014
【図１３】
2015138315.tif 000015
【図１４】
2015138315.tif 000016
【図１５】
2015138315.tif 000017
【図１６】
2015138315.tif 000018
【図１７】
2015138315.tif 000019
【図１８】
2015138315.tif 000020
【図１９】
2015138315.tif 000021